(57)【要約】【課題】吸込具の上下を反転させた状態で不用意に回転ブラシが回転することなく、また、通常使用時に不都合が生じることなく使い勝手が良好な電機掃除機用吸込具を提供することを課題とする。【解決手段】回転ブラシ４を停止させる安全装置６は、吸込具ケース２下面に配設され、付勢手段により吸込具ケース２下面より突出する床面検知ローラ１２と、床面検知ローラ１２の回動軸１３に固定されたアーム１４と、アーム１４よりも上方に回動自在に配設され、アーム１４の回動により接触可能な振り子１５と、振り子１５の側方に配設され、電動機５をＯＮ・ＯＦＦするスイッチ１６とを設け、吸込具ケース２の被掃除面への接触時に、床面検知ローラ１２の吸込具ケース２内への回動に伴うアーム１４の回動により、アーム１４は振り子１５に接触すると共に、振り子１５をスイッチ１６側に回動させて振り子１５を介してスイッチ１６を操作し、電動機５をＯＮさせる。【選択図】        図６
2005073815.tif 000002
【特許請求の範囲】
【請求項１】
吸込口を有する吸込具ケースと、吸込口に臨む吸込具ケース内に回転自在に配設された回転ブラシと、回転ブラシを回転駆動する電動機と、吸込具ケースの被掃除面への非接触時に電動機を停止させる安全装置とを備え、前記安全装置は、吸込具ケース下面に回動自在に配設され、吸込具ケースの被掃除面への非接触時に、吸込具ケース下面より突出する床面検知ローラと、床面検知ローラの回動軸に固定されたアームと、アームよりも上方に回動自在に配設され、アームの回動により接触可能な振り子と、振り子の側方に配設され、電動機をＯＮ・ＯＦＦするスイッチとを設け、吸込具ケースの被掃除面への接触時に、床面検知ローラの吸込具ケース内への回動に伴うアームの回動によりアームは振り子に接触すると共に、振り子をスイッチ側に回動させて振り子を介してスイッチを操作し、電動機をＯＮさせることを特徴とする電機掃除機用吸込具。
【請求項２】
前記吸込具ケースの被掃除面への非接触時には、アームは振り子に接触する方向に回動しないことによりスイッチは操作されず、電動機はＯＦＦ状態に維持されていることを特徴とする請求項１記載の電機掃除機用吸込具。
【請求項３】
前記振り子の重心は、回動中心に対してスイッチと対向する側に設けられ、吸込具ケースの上下を反転させた時、振り子を自重によりスイッチと対向する側に回動させて、アームとスイッチとの間に振り子が位置しないようにすることにより、振り子を介してスイッチは操作されず、電動機はＯＦＦ状態に維持されていることを特徴とする請求項１記載の電機掃除機用吸込具。
【請求項４】
前記吸込具ケースの上下を反転させた時、床面検知ローラが操作されて吸込具ケース内に押し込まれた場合でも、スイッチが直接アームにより操作されないように、アームとスイッチとの間隔を設定したことを特徴とする請求項３記載の電機掃除機用吸込具。
【請求項５】
吸込口を有する吸込具ケースと、吸込口に臨む吸込具ケース内に回転自在に配設された回転ブラシと、回転ブラシを回転駆動する電動機と、吸込具ケースの被掃除面への非接触時に電動機を停止させる安全装置とを備え、前記安全装置は、吸込具ケース下面に回動自在に配設され、吸込具ケースの被掃除面への非接触時に、吸込具ケース下面より突出する床面検知ローラと、床面検知ローラの回動軸に固定されたアームと、アームの一端に回動自在に配設され、自重によりアームの一方側に垂下する振り子と、アームの前記一端側に配設され、電動機をＯＮ・ＯＦＦするスイッチとを設け、吸込具ケースの被掃除面への接触時に、床面検知ローラの吸込具ケース内への回動に伴うアームのスイッチ側への回動により、振り子を介してスイッチを操作し、電動機をＯＮさせることを特徴とする電機掃除機用吸込具。
【請求項６】
前記吸込具ケースの被掃除面への非接触時には、アームはスイッチ側に回動しないことによりスイッチは操作されず、電動機はＯＦＦ状態に維持されていることを特徴とする請求項５記載の電機掃除機用吸込具。
【請求項７】
前記吸込具ケースの上下を反転させた時、自重により振り子をスイッチから離れる方向に回動させて、アームとスイッチとの間に振り子が位置しないようにすることによりスイッチは操作されず、電動機はＯＦＦ状態に維持されていることを特徴とする請求項５記載の電機掃除機用吸込具。
【請求項８】
前記吸込具ケースの上下を反転させた時、床面検知ローラが操作されて吸込具ケース内に押し込まれた場合、振り子を吸込具ケース内壁に形成した突出部に当接させることによりアームがスイッチ側に回動しないようにし、電動機はＯＦＦ状態に維持されていることを特徴とする請求項５記載の電機掃除機用吸込具。
【請求項９】
前記吸込具ケースの上下を反転させた時、床面検知ローラが操作されて吸込具ケース内に押し込まれた場合でも、アームが振り子を介してスイッチを操作しないように、アームとスイッチとの間隔を設定したことを特徴とする請求項５記載の電機掃除機用吸込具。
【請求項１０】
吸込口を有する吸込具ケースと、吸込口に臨む吸込具ケース内に回転自在に配設された回転ブラシと、回転ブラシを回転駆動する電動機と、吸込具ケースの被
掃除面への非接触時に電動機を停止させる安全装置とを備え、前記安全装置は、吸込具ケース下面に回動自在に配設され、吸込具ケースの被掃除面への非接触時に、吸込具ケース下面より突出する床面検知ローラと、床面検知ローラの回動軸に固定されたアームと、アームより上方に配設され、電動機をＯＮ・ＯＦＦするスイッチとを設け、吸込具ケースの被掃除面への接触時に、床面検知ローラの吸込具ケース内への回動に伴うアームの回動によりスイッチを操作し、電動機をＯＮさせることを特徴とする電機掃除機用吸込具。
【請求項１１】
前記吸込具ケースの被掃除面への非接触時には、アームはスイッチ側に回動しないことによりスイッチは操作されず、電動機はＯＦＦ状態に維持されていることを特徴とする請求項１０記載の電機掃除機用吸込具。
【請求項１２】
前記床面検知ローラの回動軸にストッパーを固定すると共に、ストッパーに振り子を回動自在に配設し、吸込具ケースの上下を反転させた時、自重により振り子を回動させて吸込具ケース内壁に当接させることによりストッパーの回動を規制し、ストッパーの回動規制に伴うアームの回動規制によりスイッチは操作されず、電動機はＯＦＦ状態に維持されていることを特徴とする請求項１０記載の電機掃除機用吸込具。
【発明の詳細な説明】
【技術分野】
【０００１】
本発明は、電機掃除機用吸込具、特に、絨毯等に付着したごみを掻き出すための回転ブラシを備えた電機掃除機用吸込具に関するものである。
【背景技術】
【０００２】
従来、回転ブラシを備えた電気掃除機用吸込具は、被掃除面への吸込具の接地の有無を確認するための安全装置が設けられている。この安全装置は、回転ブラシを回転駆動する電動機をＯＮ・ＯＦＦするスイッチと、スイッチを操作する回転ローラと、回転ローラの回動軸に固定され、凹所を有するストッパー片と、ストッパー片の凹所に位置するボールとから構成されている。この安全装置により、吸込具が被掃除面に接している時は、回転ローラが吸込具内に収納されることにより、回転ローラによりスイッチが操作されて回転ブラシは回転する。また、吸込具が被掃除面から離れた時には、凹所に位置するボールの自重によりストッパー片が下方に回動するに伴い、回転ローラも下方に回動するため、回転ローラによりスイッチは操作されず、回転ブラシは回転しない。また、吸込具の上下を反転させた時には、凹所から移動したボールがストッパー片に狭持されることにより回転ローラの吸込具内への回動が規制（ロック）されるため、回転ローラによりスイッチは操作されず、回転ブラシは回転しない。（例えば、特許文献１参照）
【特許文献１】特開平７−６７８１４号公報
【発明の開示】
【発明が解決しようとする課題】
【０００３】
しかしながら、吸込具の上下を反転させた時、回転ローラに外部から力が加わりストッパー片が動くと、ボール近傍にボールの動きを規制するものがないため、ボールが静止状態を維持することができずに非常に不安定な状態になり、最悪の場合、ボールが狭持不能となり不用意なロック解除により回転ブラシが回転してしまうという安全装置としての信頼性が不十分となる欠点があった。
【０００４】
また、掃除中に敷居を乗り越えるなど強い衝撃が吸込具に加わった時、ボールが衝撃により重力に逆らって壁面に沿って垂直に上昇して、不用意にボールがストッパー片に狭持され、吸込具の底部から回転ローラが突出したままとなり通常使用時に不都合が生じる虞があった。
【０００５】
本発明は、このような課題を解決するためになされたものであり、吸込具の上下を反転させた状態で不用意に回転ブラシが回転することなく、また、通常使用時に不都合が生じることなく使い勝手が良好な電機掃除機用吸込具を提供することを課題とする。
【課題を解決するための手段】
【０００６】
上記課題を解決するための第１の手段は、吸込口を有する吸込具ケースと、吸込口に臨む吸込具ケース内に回転自在に配設された回転ブラシと、回転ブラシを回転駆動する電動機と、吸込具ケースの被掃除面への非接触時に電動機を停止させる安全装置とを備え、前記安全装置は、吸込具ケース下面に回動自在に配設され、吸込具ケースの被掃除面への非接触時に、吸込具ケース下面より突出する床面検知ローラと、床面検知ローラの回動軸に固定されたアームと、アームよりも上方に回動自在に配設され、アームの回動により接触可能な振り子と、振り子の側方に配設され、電動機をＯＮ・ＯＦＦするスイッチとを設け、吸込具ケースの被掃除面への接触時に、床面検知ローラの吸込具ケース内への回動に伴うアームの回動によりアームは振り子に接触すると共に、振り子をスイッチ側に回動させ
て振り子を介してスイッチを操作し、電動機をＯＮさせることを特徴とする。
【０００７】
上記課題を解決するための第１の手段において、前記吸込具ケースの被掃除面への非接触時には、アームは振り子に接触する方向に回動しないことによりスイッチは操作されず、電動機はＯＦＦ状態に維持されていることが好ましい。
【０００８】
上記課題を解決するための第１の手段において、前記振り子の重心は、回動中心に対してスイッチと対向する側に設けられ、吸込具ケースの上下を反転させた時、振り子を自重によりスイッチと対向する側に回動させて、アームとスイッチとの間に振り子が位置しないようにすることにより、振り子を介してスイッチは操作されず、電動機はＯＦＦ状態に維持されていることが好ましい。
【０００９】
また、前記吸込具ケースの上下を反転させた時、床面検知ローラが操作されて吸込具ケース内に押し込まれた場合でも、スイッチが直接アームにより操作されないように、アームとスイッチとの間隔を設定することが好ましい。
【００１０】
上記課題を解決するための第２の手段は、吸込口を有する吸込具ケースと、吸込口に臨む吸込具ケース内に回転自在に配設された回転ブラシと、回転ブラシを回転駆動する電動機と、吸込具ケースの被掃除面への非接触時に電動機を停止させる安全装置とを備え、前記安全装置は、吸込具ケース下面に回動自在に配設され、吸込具ケースの被掃除面への非接触時に、吸込具ケース下面より突出する床面検知ローラと、床面検知ローラの回動軸に固定されたアームと、アームの一端に回動自在に配設され、自重によりアームの一方側に垂下する振り子と、アームの前記一端側に配設され、電動機をＯＮ・ＯＦＦするスイッチとを設け、吸込具ケースの被掃除面への接触時に、床面検知ローラの吸込具ケース内への回動に伴うアームのスイッチ側への回動により、振り子を介してスイッチを操作し、電動機をＯＮさせることを特徴とする。
【００１１】
上記課題を解決するための第２の手段において、前記吸込具ケースの被掃除面への非接触時には、アームはスイッチ側に回動しないことによりスイッチは操作されず、電動機はＯＦＦ状態に維持されていることが好ましい。
【００１２】
上記課題を解決するための第２の手段において、前記吸込具ケースの上下を反転させた時、自重により振り子をスイッチから離れる方向に回動させて、アームとスイッチとの間に振り子が位置しないようにすることによりスイッチは操作されず、電動機はＯＦＦ状態に維持されていることが好ましい。
【００１３】
上記課題を解決するための第２の手段において、前記吸込具ケースの上下を反転させた時、床面検知ローラが操作されて吸込具ケース内に押し込まれた場合、振り子を吸込具ケース内壁に形成した突出部に当接させることによりアームがスイッチ側に回動しないようにし、電動機はＯＦＦ状態に維持されていることが好ましい。
【００１４】
上記課題を解決するための第２の手段において、前記吸込具ケースの上下を反転させた時、床面検知ローラが操作されて吸込具ケース内に押し込まれた場合でも、アームが振り子を介してスイッチを操作しないように、アームとスイッチとの間隔を設定することが好ましい。
【００１５】
上記課題を解決するための第３の手段は、吸込口を有する吸込具ケースと、吸込口に臨む吸込具ケース内に回転自在に配設された回転ブラシと、回転ブラシを回転駆動する電動機と、吸込具ケースの被掃除面への非接触時に電動機を停止させる安全装置とを備え、前記安全装置は、吸込具ケース下面に回動自在に配設され、吸込具ケースの被掃除面への非
接触時に、吸込具ケース下面より突出する床面検知ローラと、床面検知ローラの回動軸に固定されたアームと、アームより上方に配設され、電動機をＯＮ・ＯＦＦするスイッチとを設け、吸込具ケースの被掃除面への接触時に、床面検知ローラの吸込具ケース内への回動に伴うアームの回動によりスイッチを操作し、電動機をＯＮさせることを特徴とする。
【００１６】
上記課題を解決するための第３の手段において、前記吸込具ケースの被掃除面への非接触時には、アームはスイッチ側に回動しないことによりスイッチは操作されず、電動機はＯＦＦ状態に維持されていることが好ましい。
【００１７】
上記課題を解決するための第３の手段において、前記床面検知ローラの回動軸にストッパーを固定すると共に、ストッパーに振り子を回動自在に配設し、吸込具ケースの上下を反転させた時、自重により振り子を回動させて吸込具ケース内壁に当接させることによりストッパーの回動を規制し、ストッパーの回動規制に伴うアームの回動規制によりスイッチは操作されず、電動機はＯＦＦ状態に維持されていることが好ましい。
【発明の効果】
【００１８】
本発明の請求項１の構成によれば、掃除中に敷居を乗り越えるなどの強い衝撃が吸込具ケースに加わった時でも、安全装置の動作に不都合が生じることはなく、使い勝手を向上させることができる等の効果を奏する。
【００１９】
本発明の請求項２の構成によれば、回転している回転ブラシに手等が接触することによるけがを防止することができる等の効果を奏する。
【００２０】
本発明の請求項３の構成によれば、吸込具ケースの上下を反転させた際、床面検知ローラが不用意に操作された場合でも、回転ブラシは回転しないため、回転している回転ブラシに手等が接触することによるけがを防止することができる等の効果を奏する。
【００２１】
本発明の請求項４の構成によれば、吸込具ケースの上下を反転させた際、床面検知ローラが不用意に操作された場合でも、回転ブラシは回転しないため、回転している回転ブラシに手等が接触することによるけがを防止することができる等の効果を奏する。
【００２２】
本発明の請求項５の構成によれば、掃除中に敷居を乗り越えるなどの強い衝撃が吸込具ケースに加わった時でも、安全装置の動作に不都合が生じることはなく、使い勝手を向上させることができる等の効果を奏する。
【００２３】
本発明の請求項６の構成によれば、回転している回転ブラシに手等が接触することによるけがを防止することができる等の効果を奏する。
【００２４】
本発明の請求項７の構成によれば、吸込具ケースの上下を反転させた際、床面検知ローラが不用意に操作された場合でも、回転ブラシは回転しないため、回転している回転ブラシに手等が接触することによるけがを防止することができる等の効果を奏する。
【００２５】
本発明の請求項８の構成によれば、吸込具ケースの上下を反転させた際、床面検知ローラが不用意に操作された場合でも、回転ブラシは回転しないため、回転している回転ブラシに手等が接触することによるけがを防止することができる等の効果を奏する。
【００２６】
本発明の請求項９の構成によれば、吸込具ケースの上下を反転させた際、床面検知ローラが不用意に操作された場合でも、回転ブラシは回転しないため、回転している回転ブラシに手等が接触することによるけがを防止することができる等の効果を奏する。
【００２７】
本発明の請求項１０の構成によれば、掃除中に敷居を乗り越えるなどの強い衝撃が吸込具ケースに加わった時でも、安全装置の動作に不都合が生じることはなく、使い勝手を向上させることができる等の効果を奏する。
【００２８】
本発明の請求項１１の構成によれば、回転している回転ブラシに手等が接触することによるけがを防止することができる等の効果を奏する。
【００２９】
本発明の請求項１２の構成によれば、吸込具ケースの上下を反転させた際、床面検知ローラが不用意に操作された場合でも、回転ブラシは回転しないため、回転している回転ブラシに手等が接触することによるけがを防止することができる等の効果を奏する。
【発明を実施するための最良の形態】
【００３０】
（第１実施形態）
本発明に係る電気掃除機用吸込具の第１実施形態を図１乃至図１０に基づいて説明する。
【００３１】
第１実施形態の電気掃除機用吸込具１は、上ケース２ａと下ケース２ｂからなって吸込口３が下方に形成された横長の吸込具ケース２と、吸込具ケース２の吸込口３に臨ませて吸込具ケース２に回転自在に支持された回転ブラシ４と、回転ブラシ４を回転駆動する電動機５と、吸込具ケース２の被掃除面への非接触時に電動機５を停止させる安全装置６と、吸込具ケース２の後面側に上下自在に且つ回転自在に取付けられ、吸込口３に連通するベンド７とから構成されている（図１、図２、図３参照）。そして、ベンド７が図示しない延長管やホースを介して掃除機本体に接続されるようになっている。
【００３２】
吸込具ケース２の  吸込口３に回動自在に支持された回転ブラシ４は、その芯体８の外周面にブラシ体９が等分間隔で長手方向に複数本装着されている。ブラシ体９は、ブラシ体９の根元部９ａを芯体８の外周面に形成した溝１０に嵌め込むことで装着できるようになっている（図３参照）。また、回転ブラシ４は、吸込具ケース２に配設された電動機５により、その駆動力が伝動ベルト１１を介して伝達されて回転駆動する（図２参照）。この回転ブラシ４が回転することで被掃除面のごみが掻き取られ、吸込口３から効果的に吸込まれることにより効率よく掃除できる。
【００３３】
しかしながら、吸込具ケース２の上下を反転させた時に誤って安全装置を操作した時に、回転ブラシ４が回転してしまうと、回転している回転ブラシ４に指等が触れてけがをする虞があった。そこで、第１実施形態では、以下のような安全装置６を吸込具ケース２に配設している。
【００３４】
安全装置６は、吸込具ケース２裏面に回動自在に配設された床面検知ローラ１２と、床面検知ローラ１２の回動軸１３に固定されたアーム１４と、アーム１４よりも上方に回動自在に配設され、自重により下方に垂下する振り子１５と、振り子１５の側方に配設され、電動機をＯＮ・ＯＦＦするスイッチ１６とから構成されている（図２、図３、図４参照）。
【００３５】
吸込具ケース２裏面に回動自在に配設された床面検知ローラ１２は、回動軸１３を回動中心として、床面検知ローラ１２が吸込具ケース２裏面から突出する位置（図５参照）と床面検知ローラ１２が吸込具ケース２内に収納された位置（図３参照）との間を自在に回動する。また、床面検知ローラ１２は、図示しないバネ等の付勢手段により、床面検知ローラ１２が吸込具ケース２裏面から突出する方向に付勢されている。この結果、吸込具ケース２裏面が被掃除面から離れた時には、図５に示すように床面検知ローラ１２は吸込具ケース２裏面から突出する。
【００３６】
床面検知ローラ１２の回動軸１３に固定されたアーム１４は、側面視で略台形形状をしている。アーム１４は、床面検知ローラ１２の回動に伴い回動する。床面検知ローラ１２が吸込具ケース２裏面から突出する位置（図５参照）では、アーム１４が右斜め略４５度上方を向いた位置（図６参照）となり、床面検知ローラ１２が吸込具ケース２内に収納された位置（図３参照）では、アーム１４が略垂直に上方を向いた位置（図４参照）となる。従って、アーム１４は、アーム１４が右斜め略４５度上方を向いた位置（図６参照）とアーム１４が略垂直に上方を向いた位置（図４参照）との間を回動する。
【００３７】
アーム１４の上方に軸１７を回動中心として回動自在に配設された振り子１５は、側面視で略扇形状をしている。振り子１５は自重により下方に垂下しており、アーム１４が右斜め略４５度上方を向いた位置（図６参照）では、アーム１４は振り子１５に接触せず、アーム１４が略垂直に上方を向いた位置（図４参照）では、アーム１４は振り子１５に接触する位置関係になっている。振り子１５の、アーム１４と接触する一方側には、アーム１４との係合部１８が形成されている。軸１７に対して振り子１５の係合部１８が形成された側に重心が位置するように、振り子１５の係合部１８が形成された側に重り部１９が形成されている。
【００３８】
振り子１５の軸１７に対して重り部１９に対向する側には、電動機５をＯＮ・ＯＦＦするスイッチ１６が配設されている。スイッチ１６が押されている時は、電動機５は駆動可能（ＯＮ）となり、スイッチ１６が押されていない時は、電動機５は駆動不能（ＯＦＦ）となる。
【００３９】
このように構成された電気掃除機用吸込具１は、被掃除面を掃除するために吸込具ケース２裏面を被掃除面に接地させた時、床面検知ローラ１２は付勢手段の付勢力に抗して回動し吸込具ケース２内に収納される。床面検知ローラ１２の回動に伴いアーム１４も回動し、アーム１４の回動により振り子１５の係合部１８にアーム１４が当接すると共に、振り子１５をスイッチ１６側に回動させて振り子１５を介してスイッチ１６を押す。その結果、電動機５はＯＮ状態となり、図示しない操作部により回転ブラシ４の操作を選択した際には、電動機５が駆動し回転ブラシ４は回転する（図３、図４参照）。この状態で回転ブラシ４が回転しても、回転ブラシ４に手が触れる虞はない。また、掃除中に敷居を乗り越えるなどの強い衝撃が吸込具ケース２に加わった時でも、振り子１５動きが軸１７により規制されているため背景技術のように安全装置６の動作に不都合が生じることはなく、使い勝手を向上させることができる。
【００４０】
吸込具ケース２を被掃除面から持ち上げた時には、床面検知ローラ１２の図示しない付勢手段により床面検知ローラ１２は、吸込具ケース２裏面から突出する位置まで回動する。床面検知ローラ１２の回動に伴いアーム１４は振り子１５から離れる方向に回動し、振り子１５は自重で下方に垂下したままでスイッチ１６が押されていない状態となり、電動機５はＯＦＦとなる（図３、図４参照）。従って、この時、図示しない操作部により回転ブラシ４の操作を選択した場合でも回転ブラシ４は回転しない。この結果、回転している回転ブラシ４に手等が接触することによるけがを防止することができる。また、この時、吸込具ケース２に衝撃が加わった場合、振り子１５は軸１７を中心として回動しスイッチ１６に接触するが、振り子１５の回動だけではスイッチ１６を押し続けることはできない。従って、誤って回転ブラシ４が回転することはない。さらに、床面検知ローラ１２が吸込具ケース２裏面から突出した状態で床面検知ローラ１２がロックされる虞もない。
【００４１】
吸込具ケース２の上下を反転させた時、振り子１５は重り部１９により軸１７に対してスイッチ１６と対向する側に重心が位置するため、振り子１５はスイッチ１６と対向する側に回動する。また、この時、床面検知ローラ１２は、付勢手段により吸込具ケース２か
ら突出している（図７、図８参照）。この結果、アーム１４とスイッチ１６間には振り子１５が存在しないため、スイッチ１６が押される虞はなく、電動機５はＯＦＦとなり、回転している回転ブラシ４に手等が接触することによるけがを防止することができる。
【００４２】
また、この時、吸込具ケース２から突出している床面検知ローラ１２を、付勢手段による付勢力に抗して吸込具ケース２内に押し込んだ場合、床面検知ローラ１２の回動に伴いアーム１４も回動するが、アーム１４とスイッチ１６との間には振り子１５が存在しないため、アーム１４が振り子１５を介してスイッチ１６を押すことはない。さらに、スイッチ１６はアーム１４により直接操作されないように、アーム１４とスイッチ１６との間隔を設定している（図９、図１０参照）。この結果、床面検知ローラ１２を不用意に操作した場合でも、スイッチ１６が押されていない状態となり、電動機５はＯＦＦとなるため、回転している回転ブラシ４に手等が接触することによるけがを防止することができる。
【００４３】
（第２実施形態）
図１１乃至図１８は第２実施形態を示している。尚、第１実施形態と同一部品については同一符号を付して説明を省略する。
【００４４】
第２実施形態の電気掃除機用吸込具１ａは、吸込具ケース２裏面に回動自在に配設された床面検知ローラ１２と、床面検知ローラ１２の回動軸１３に固定されたアーム１４ａと、アーム１４ａの一端に回動自在に配設され、自重によりアーム１４ａの一方側に倒れる振り子１５ａと、振り子１５ａが倒れる側のアーム１４ａの側方に配設され、電動機をＯＮ・ＯＦＦするスイッチ１６とから構成された安全装置６ａを備えている（図１１、図１２参照）。
【００４５】
床面検知ローラ１２の回動軸１３に固定されたアーム１４ａは、側面視で略矩形形状をしている。アーム１４ａは、床面検知ローラ１２の回動に伴い回動する。床面検知ローラ１２が吸込具ケース２裏面から突出する位置（図１３参照）では、アーム１４ａが略垂直に上方を向いた位置（図１４参照）となり、床面検知ローラ１２が吸込具ケース２内に収納された位置（図１１参照）では、アーム１４ａは左斜め略４５度上方を向いた位置（図１２参照）となる。従って、アーム１４ａは、アーム１４ａが略垂直に上方を向いた位置（図１４参照）とアーム１４ａが左斜め略４５度上方を向いた位置（図１２参照）との間を回動する。
【００４６】
アーム１４ａの一端に軸１７ａを回動中心として回動自在に配設された振り子１５ａは、側面視で略正方形をしている。振り子１５ａは自重によりアーム１４ａの一方側に倒れている。振り子１５ａが倒れる側のアーム１４ａの側方には、電動機５をＯＮ・ＯＦＦするスイッチ１６が配設されている。スイッチ１６が押されている時は、電動機５はＯＮとなり、スイッチ１６が押されていない時は、電動機５はＯＦＦとなる。
【００４７】
このように構成された電気掃除機用吸込具１ａは、被掃除面を掃除するために吸込具ケース２裏面を被掃除面に接地させた時、床面検知ローラ１２は付勢手段の付勢力に抗して回動し吸込具ケース２内に収納される。床面検知ローラ１２の回動に伴いアーム１４ａもスイッチ１６側に回動し、振り子１５ａを介してスイッチ１６を押す。この結果、電動機５はＯＮ状態となり、図示しない操作部により回転ブラシ４の操作を選択した際には、電動機５が駆動し回転ブラシ４は回転する（図１１、図１２参照）。この状態で回転ブラシ４が回転しても、回転ブラシ４に手が触れる虞はない。また、掃除中に敷居を乗り越えるなどの強い衝撃が吸込具ケース２に加わった時でも、振り子１５ａの動きが軸１７ａにより規制されているため、安全装置６ａの動作に不都合が生じることはなく、使い勝手を向上させることができる。
【００４８】
吸込具ケース２を被掃除面から持ち上げた時には、床面検知ローラ１２の図示しない付勢手段により床面検知ローラ１２は、吸込具ケース２裏面から突出する位置まで回動する。床面検知ローラ１２の回動に伴いアーム１４ａはスイッチ１６から離れる方向に回動してスイッチ１６が押されていない状態となり、電動機５はＯＦＦとなる（図１３、図１４参照）。従って、この時、図示しない操作部により回転ブラシ４の操作を選択した場合でも回転ブラシ４は回転しない。この結果、回転している回転ブラシ４に手等が接触することによるけがを防止することができる。また、この時、吸込具ケース２に衝撃が加わった場合、振り子１５ａは軸１７ａを中心として回動しないため、スイッチ１６を押すことはない。従って、誤って回転ブラシ４が回転することはない。さらに、床面検知ローラ１２が吸込具ケース２裏面から突出した状態で床面検知ローラ１２がロックされる虞もない。
【００４９】
吸込具ケース２の上下を反転させた時、振り子１５ａは、自重により軸１７ａを回動中心にしてアーム１４ａの延長線上に垂下する。また、この時、床面検知ローラ１２は、付勢手段により吸込具ケース２から突出している（図１５、図１６参照）。この結果、スイッチ１６が振り子１５ａにより押されていない状態となり、電動機５はＯＦＦとなるため、回転している回転ブラシ４に手等が接触することによるけがを防止することができる。
【００５０】
また、この時、吸込具ケース２から突出している床面検知ローラ１２を、付勢手段による付勢力に抗して吸込具ケース２内に押し込んだ時、床面検知ローラ１２の回動に伴いアーム１４も回動するが、振り子１５ａが上ケース２に形成された突出部２０に当接して床面検知ローラ１２及びアーム１４ａの回動が規制される（図１７、図１８参照）。この結果、床面検知ローラ１２を不用意に操作した場合でも、スイッチ１６が押されていない状態となり、電動機５はＯＦＦとなるため、回転している回転ブラシ４に手等が接触することによるけがを防止することができる。
【００５１】
（第３実施形態）
図１９乃至図２２は第３実施形態を示している。尚、第１実施形態及び第２実施形態と同一部品については同一符号を付して説明を省略する。
【００５２】
吸込具ケース２の上下を反転させた時、第２実施形態では、振り子１５ａを上ケース２に形成された突出部２０に当接させることにより、アーム１４ａの回動を規制して床面検知ローラ１２が不用意に操作された場合でも、スイッチ１６が押されないようにしたが、第３実施形態の電気掃除機用吸込具１ｃは、吸込具ケース２の上下を反転させた図１９及び図２０の状態から、床面検知ローラ１２が不用意に操作されてアーム１４ｂが回動した場合でも、誤ってスイッチ１６が押されないように、回動軸１３、アーム１４、振り子１５及びスイッチ１６からなる安全装置６ｂの位置関係を設定している（図２１、図２２参照）。
【００５３】
この構成とすることにより、回動しない床面検知ローラ１２をむりやり操作した時の、規制手段の破損を防止することができると共に、規制手段が破損することにより回転ブラシ４が不用意に回転し、回転している回転ブラシ４に手等が接触することによるけがを防止することができる。
【００５４】
（第４実施形態）
図２３乃至図３２は第４実施形態を示している。尚、第１実施形態乃至第３実施形態とと同一部品については同一符号を付して説明を省略する。
【００５５】
第４実施形態の電気掃除機用吸込具１ｃは、吸込具ケース２裏面に回動自在に配設された床面検知ローラ１２と、床面検知ローラ１２の回動軸１３に固定されると共に、ストッパー収納室２１内に収納された略Ｕ字状のストッパー２２と、ストッパー２２の一端に回
動自在に配設され、自重によりＵ字部２３に位置する振り子１５ｃと、床面検知ローラ１２の回動軸１３に固定されたアーム１４ｃと、アーム１４ｃの上方に配設され、電動機をＯＮ・ＯＦＦするスイッチ１６とから構成された安全装置６ｃを備えている。（図２３乃至図２６参照）。
【００５６】
床面検知ローラ１２の回動軸１３に固定されたストッパーは、床面検知ローラ１２と共に回動する。ストッパー２２の一端の軸１７ｃにより回動自在に配設された振り子１５ｃは、吸込具ケース２の裏面が下方を向いている状態では、ストッパー２２のＵ字部２３に位置している。床面検知ローラ１２が吸込具ケース２裏面から突出する位置（図２７参照）では、ストッパー２２が左斜め略４５度上方を向いた位置（図２８参照）となり、床面検知ローラ１２が吸込具ケース２内に収納された位置（図２４参照）では、ストッパー２２が略垂直に上方を向いた位置（図２５参照）となる。従って、ストッパー２２は、ストッパー２２が略垂直に上方を向いた位置（図２５参照）とアーム１４ａが左斜め略４５度上方を向いた位置（図２８参照）との間を回動する。
【００５７】
また、床面検知ローラ１２の回動軸１３にはアーム１４ｃが固定されており、床面検知ローラ１２と共に回動する。アーム１４ｃの上方には、電動機５をＯＮ・ＯＦＦするスイッチ１６が配設されている。スイッチ１６が押されている時は、電動機５はＯＮとなり、スイッチ１６が押されていない時は、電動機５はＯＦＦとなる。床面検知ローラ１２が吸込具ケース２裏面から突出する位置（図２７参照）では、アーム１４ｃがスイッチ１６を押していない位置（図２９参照）となり、床面検知ローラ１２が吸込具ケース２内に収納された位置（図２４参照）では、アーム１４ｃがスイッチ１６を押している位置（図２６参照）となる。従って、アーム１４ｃは、スイッチ１６を押す位置（図２６参照）とスイッチ１６を押さない位置（図２９参照）との間を回動する。
【００５８】
このように構成された電気掃除機用吸込具１ｃは、被掃除面を掃除するために吸込具ケース２裏面を被掃除面に接地させた時、床面検知ローラ１２は付勢手段の付勢力に抗して回動し吸込具ケース２内に収納される。床面検知ローラ１２の回動に伴いストッパー２２が回動すると共に、アーム１４ｃもスイッチ１６側に回動してスイッチ１６を押す（図２４乃至図２６参照）。この結果、電動機５はＯＮ状態となり、図示しない操作部により回転ブラシ４の操作を選択した際には、電動機５が駆動し回転ブラシ４は回転する。この状態で回転ブラシ４が回転しても、回転ブラシ４に手が触れる虞はない。また、掃除中に敷居を乗り越えるなどの強い衝撃が吸込具ケース２に加わった時でも、振り子１５ｃの動きが軸１７ｃにより規制されるため、安全装置６ａの動作に不都合が生じることはなく、使い勝手を向上させることができる。
【００５９】
吸込具ケース２を被掃除面から持ち上げた時には、床面検知ローラ１２の図示しない付勢手段により床面検知ローラ１２は、吸込具ケース２裏面から突出する位置まで回動する。床面検知ローラ１２の回動に伴いストッパー２２が回動すると共に、アーム１４ｃはスイッチ１６から離れる方向に回動してスイッチ１６が押されていない状態となり、電動機５はＯＦＦとなる（図２７乃至図２９参照）。従って、この時、図示しない操作部により回転ブラシ４の操作を選択した場合でも回転ブラシ４は回転しない。この結果、回転している回転ブラシ４に手等が接触することによるけがを防止することができる。また、この時、吸込具ケース２に衝撃が加わった場合でもアーム１４ｃが回動しないため、スイッチ１６を押すことはない。従って、誤って回転ブラシ４が回転することはない。さらに、床面検知ローラ１２が吸込具ケース２裏面から突出した状態で床面検知ローラ１２がロックされる虞もない。
【００６０】
吸込具ケース２の上下を反転させた時、振り子１５ｃは、自重により軸１７ｃを回動中心にしてＵ字部２３から下方に落下してストッパー２２とストッパー収納室２１との間に
嵌まり込む。（図３１参照）。この結果、回動軸１３はストッパー２２と振り子１５ｃとにより回動が規制されるため、床面検知ローラ１２を不用意に操作しても、アーム１４ｃがスイッチ１６を押すことはない（図３０、図３２参照）。従って、電動機５はＯＦＦとなるため、回転している回転ブラシ４に手等が接触することによるけがを防止することができる。
【図面の簡単な説明】
【００６１】
【図１】本発明の第１実施形態の電気掃除機用吸込具の上面図である。
【図２】同電気掃除機用吸込具の裏面図で、裏蓋を外した状態を示す。
【図３】同電気掃除機用吸込具の側面図で、電気掃除機用吸込具が被掃除面に接地している時の床面検知ローラの状態を示す。
【図４】同電気掃除機用吸込具の側面図で、電気掃除機用吸込具が被掃除面に接地している時のスイッチの状態を示す。
【図５】同電気掃除機用吸込具の側面図で、電気掃除機用吸込具が被掃除面に接地していない時の床面検知ローラの状態を示す。
【図６】同電気掃除機用吸込具の側面図で、電気掃除機用吸込具が被掃除面に接地していない時のスイッチの状態を示す。
【図７】同電気掃除機用吸込具の側面図で、電気掃除機用吸込具の上下を反転させた時の床面検知ローラの状態を示す。
【図８】同電気掃除機用吸込具の側面図で、電気掃除機用吸込具の上下を反転させた時のスイッチの状態を示す。
【図９】同電気掃除機用吸込具の側面図で、電気掃除機用吸込具の上下を反転させた時に床面検知ローラを吸込具ケース内に押し込んだ状態を示す。
【図１０】同電気掃除機用吸込具の側面図で、電気掃除機用吸込具の上下を反転させた時に床面検知ローラを吸込具ケース内に押し込んだ際のスイッチの状態を示す。
【図１１】本発明の第２実施形態の電気掃除機用吸込具の側面図で、電気掃除機用吸込具が被掃除面に接地している時の床面検知ローラの状態を示す。
【図１２】同電気掃除機用吸込具の側面図で、電気掃除機用吸込具が被掃除面に接地している時のスイッチの状態を示す。
【図１３】同電気掃除機用吸込具の側面図で、電気掃除機用吸込具が被掃除面に接地していない時の床面検知ローラの状態を示す。
【図１４】同電気掃除機用吸込具の側面図で、電気掃除機用吸込具が被掃除面に接地していない時のスイッチの状態を示す。
【図１５】同電気掃除機用吸込具の側面図で、電気掃除機用吸込具の上下を反転させた時の床面検知ローラの状態を示す。
【図１６】同電気掃除機用吸込具の側面図で、電気掃除機用吸込具の上下を反転させた時のスイッチの状態を示す。
【図１７】同電気掃除機用吸込具の側面図で、電気掃除機用吸込具の上下を反転させた時に床面検知ローラを吸込具ケース内に押し込んだ状態を示す。
【図１８】同電気掃除機用吸込具の側面図で、電気掃除機用吸込具の上下を反転させた時に床面検知ローラを吸込具ケース内に押し込んだ際のスイッチの状態を示す。
【図１９】本発明の第３実施形態の電気掃除機用吸込具の側面図で、電気掃除機用吸込具の上下を反転させた時の床面検知ローラの状態を示す。
【図２０】同電気掃除機用吸込具の側面図で、電気掃除機用吸込具の上下を反転させた時のスイッチの状態を示す。
【図２１】同電気掃除機用吸込具の側面図で、電気掃除機用吸込具の上下を反転させた時に床面検知ローラを吸込具ケース内に押し込んだ状態を示す。
【図２２】同電気掃除機用吸込具の側面図で、電気掃除機用吸込具の上下を反転させた時に床面検知ローラを吸込具ケース内に押し込んだ際のスイッチの状態を示す。
【図２３】本発明の第４実施形態の電気掃除機用吸込具の裏面図で、裏蓋を外した状態を示す。
【図２４】同電気掃除機用吸込具の側面図で、電気掃除機用吸込具が被掃除面に接地している時の床面検知ローラの状態を示す。
【図２５】同電気掃除機用吸込具の側面図で、電気掃除機用吸込具が被掃除面に接地している時のストッパーの状態を示す。
【図２６】同電気掃除機用吸込具の側面図で、電気掃除機用吸込具が被掃除面に接地している時のスイッチの状態を示す。
【図２７】同電気掃除機用吸込具の側面図で、電気掃除機用吸込具が被掃除面に接地していない時の床面検知ローラの状態を示す。
【図２８】同電気掃除機用吸込具の側面図で、電気掃除機用吸込具が被掃除面に接地していない時のストッパーの状態を示す。
【図２９】同電気掃除機用吸込具の側面図で、電気掃除機用吸込具が被掃除面に接地していない時のスイッチの状態を示す。
【図３０】同電気掃除機用吸込具の側面図で、電気掃除機用吸込具の上下を反転させた時の床面検知ローラの状態を示す。
【図３１】同電気掃除機用吸込具の側面図で、電気掃除機用吸込具の上下を反転させた時のストッパーの状態を示す。
【図３２】同電気掃除機用吸込具の側面図で、電気掃除機用吸込具の上下を反転させた時のスイッチの状態を示す。
【符号の説明】
【００６２】
１    電気掃除機用吸込具
２    吸込具ケース
３    吸込口
４    回転ブラシ
５    電動機
６    安全装置
１２  床面検知ローラ
１４  アーム
１５  振り子
１６  スイッチ
【図１】
2005073815.tif 000003
【図２】
2005073815.tif 000004
【図３】
2005073815.tif 000005
【図４】
2005073815.tif 000006
【図５】
2005073815.tif 000007
【図６】
2005073815.tif 000008
【図７】
2005073815.tif 000009
【図８】
2005073815.tif 000010
【図９】
2005073815.tif 000011
【図１０】
2005073815.tif 000012
【図１１】
2005073815.tif 000013
【図１２】
2005073815.tif 000014
【図１３】
2005073815.tif 000015
【図１４】
2005073815.tif 000016
【図１５】
2005073815.tif 000017
【図１６】
2005073815.tif 000018
【図１７】
2005073815.tif 000019
【図１８】
2005073815.tif 000020
【図１９】
2005073815.tif 000021
【図２０】
2005073815.tif 000022
【図２１】
2005073815.tif 000023
【図２２】
2005073815.tif 000024
【図２３】
2005073815.tif 000025
【図２４】
2005073815.tif 000026
【図２５】
2005073815.tif 000027
【図２６】
2005073815.tif 000028
【図２７】
2005073815.tif 000029
【図２８】
2005073815.tif 000030
【図２９】
2005073815.tif 000031
【図３０】
2005073815.tif 000032
【図３１】
2005073815.tif 000033
【図３２】
2005073815.tif 000034